(57)【要約】【課題】照射方向を簡単に変えることができると共に照明の自由度が高い電気スタンドを提供すること。【解決手段】腕部２と、この腕部２の基端に設けられた固定機構たるクリップ４と、前記腕部２の先端に設けられた灯具６と、この灯具６に対して回動自在に取り付けられたセード７と、前記灯具６のソケットに対して着脱自在な光源たる電球型蛍光灯１４で構成された電気スタンド１において、前記灯具６を構成するセード取付部１２に対して前記灯具６の前後方向に直交する回動軸１６を形成し、この回動軸１６と前記セード７の略中央の軸受部１７ａによってセード７を回動自在に軸支したことで、セード７自体を容易に回動させてセード７の向きを変えることができる。また、前記灯具６の前後方向に直交する回動軸１６回りに前記セード７の向きを調節可能とすることで、インテリア的な照明に用いる等、照明の自由度を高めることができる。【選択図】　図１
2004087204.tif 000002
【特許請求の範囲】
【請求項１】
固定機構と、この固定機構に基端側が取り付けられた腕部と、この腕部の先端側に取り付けられた灯具と、この灯具に取り付けられた光源と、前記灯具に取り付けられて前記光源を覆うセードとを有する電気スタンドにおいて、前記灯具に対して前記セードの略中央部を回動自在に軸支する回動軸を前記灯具の前後方向に対して直交する方向に設けると共に、前記セードが前記灯具に対して回動軸回りに回動自在となるように構成されていることを特徴とする電気スタンド。
【請求項２】
前記セードが、前記回動軸を中心として一端側と他端側が略対称に形成されていることを特徴とする請求項１記載の電気スタンド。
【請求項３】
前記灯具に、前記光源の側部に延びる突出部を形成すると共に、前記光源の略中央の側部に該当する突出部の位置に、前記回動軸を設けたことを特徴とする請求項１記載の電気スタンド。
【請求項４】
前記回動軸を一対設けると共に、この一対の回動軸によって前記セードを軸支したことを特徴とする請求項１記載の電気スタンド。
【発明の詳細な説明】
【０００１】
【発明が属する技術分野】
本発明は電気スタンドに関するものであり、特に、光源からの光の照射方向を調節できる電気スタンドに関するものである。
【０００２】
【発明が解決しようとする課題】
従来この種の電気スタンドとしては、例えば実開昭６３−１７４１１５号等に記載されているものが知られている。これは、クリップ等の固定機構と、このクリップに基端が取り付けられたフレキシブルシャフト等の腕部と、この腕部の先端に取り付けられた灯具本体と、この灯具に取り付けられた光源と、この光源を覆って設けられたセードとで構成されており、固定機構を机の天板等に固定すると共に灯具本体の向きを変えることで、照射方向を自由に調節できるものである。また、これらの電気スタンドは、机の天板のみならず、棚板や間仕切等に取り付けることが可能である。
【０００３】
しかしながら、これらの電気スタンドは、前述したとおり机の天板の他に棚板や間仕切にも取り付けられるので、取付場所を変えた場合、灯具本体の向きを調節し直す必要が生じるが、前記腕部と灯具本体の間は、机の天板、棚板、間仕切等に取り付けられた状態で姿勢を保つために堅く構成されている。このため、灯具本体の向きを変えようとしても動かし難いという問題があった。
【０００４】
これらの問題を解決できるものとして、例えば、実開平３−１３６０６号公報等に記載されているものが知られている。これは、略筒状のセード自体が略筒状の灯具本体に対して周方向に回動自在となるように形成されているものである。しかしながら、これらの電気スタンドは、セード自体が灯具本体に対して遊びを有した状態で回動自在となっているばかりでなく、構造上セードの基端側のみで灯具本体に支持されているので、灯具本体に対してセードが傾きやすいという問題があった。また、これら灯具本体及びセードは樹脂によって形成されていることが多く、また、灯具本体の外面及びセードの内面の周方向の長さが長いため、灯具本体又はセードが磨耗することによって摩擦面が粗くなり、前述したセードが傾きやすいことと相まって、セードがスムーズに回らなくなる虞があった。更に、これらの電気スタンドは、机上で学習、仕事又は作業をする際に使用するためのものであり、それ以外の用途に用いるには照明の自由度が低いという問題があった。
【０００５】
本発明は以上の問題点を解決し、照射方向を簡単に変えることができると共に照明の自由度が高い電気スタンドを提供することを目的とする。
【０００６】
【課題を解決するための手段】
本発明の請求項１の電気スタンドは、固定機構と、この固定機構に基端側が取り付けられた腕部と、この腕部の先端側に取り付けられた灯具と、この灯具に取り付けられた光源と、前記灯具に取り付けられて前記光源を覆うセードとを有する電気スタンドにおいて、前記灯具に対して前記セードの略中央部を回動自在に軸支する回動軸を前記灯具の前後方向に対して直交する方向に設けると共に、前記セードが前記灯具に対して回動軸回りに回動自在となるように構成されているものである。
【０００７】
本発明は以上のように構成することにより、固定機構を被固定部に固定し、灯具の向きを調節した後、セードを回動軸回りに回動することで、照射方向が調節される。
【０００８】
また、本発明の請求項２の電気スタンドは、請求項１において、前記セードが、前記回動軸を中心として一端側と他端側が略対称に形成されているものである。
【０００９】
本発明は以上のように構成することにより、一端側又は他端側の何れかが前方となるようにセードを回動させたとしても、セードの姿勢及び形状が何れも同様になる。
【００１０】
また、本発明の請求項３の電気スタンドは、請求項１において、前記灯具に、前記光源の側部に延びる突出部を形成すると共に、前記光源の略中央の側部に該当する突出部の位置に、前記回動軸を設けたものである。
【００１１】
本発明は以上のように構成することにより、光源がセードの略中央に位置することになる。
【００１２】
更に、本発明の請求項４の電気スタンドは、請求項１において、前記回動軸を一対設けると共に、この一対の回動軸によって前記セードを軸支したものである。
【００１３】
本発明は以上のように構成することにより、セードが回動軸の軸方向に対して傾かない。
【００１４】
【発明の実施形態】
以下、本発明の実施形態について、図１乃至図５に基づいて説明する。なお、図１乃至図３は右側面図であり、この図において左が前方、右が後方となる。１は電気スタンドである。この電気スタンド１は、腕部２と、この腕部２の基端に第一関節部３を介して設けられた固定機構たるクリップ４と、前記腕部２の先端に第二関節部５を介して設けられた灯具６と、この灯具６に対して回動自在に取り付けられたセード７とで構成されている。前記第一関節部３は、左右方向に水平となるように軸が形成されており、締付ネジ８を緩めることで腕部２がクリップ４に対して揺動可能となると共に、締付ネジ８を締めることで前記腕部２が固定される。そして、前記腕部２は、その内部に図示しないフレキシブルシャフトを有しており、このフレキシブルシャフトの外部を覆うように蛇腹部９が設けられている。また、前記第二関節部５は略Ｕ字状に形成されており、その下部中央が前記腕部２の先端に固定されている。更に、この腕部２の軸と直交するように、第二関節部５の上端近傍に一対の軸受部１０が設けられており、この軸受部１０によって後述する灯具６の灯具本体１１の回動軸１３を受けることで、灯具６が第二関節部５に対して回動自在に軸支される。
【００１５】
前記灯具６は、図示しないソケットが設けられた灯具本体１１と、この灯具本体１１に対して着脱自在なセード取付部１２とで構成されており、このセード取付部１２に対して前記セード７が回動自在に取り付けられている。そして、前記灯具本体１１の略中央の側部には、前記軸受部１０によって受けられる一対の回動軸１３が形成されている。なお、前記回動軸１３は、灯具本体１１の前後方向に対して直交し且つ図１の姿勢において水平に形成されている。また、前記ソケットには、光源たる電球型蛍光灯１４が着脱自在に取り付けられている。また、前記セード取付部１２は、灯具本体１１の前後方向に対して軸回りに回動自在に取り付けられている。従って、回動軸１３及びセード取付部１２によって、前記セード７は２自由度で回動することになる。更に、前記セード取付部１２には一対の突出部１５が前記電球型蛍光灯１４の側面に沿うように形成されており、これらの突出部１５において、これらの突出部１５に形成された一対の回動軸１６に対して前記セード７が回動自在に取り付けられている。なお、この回動軸１６は、前記ソケットに電球型蛍光灯１４を取り付けた状態において、この電球型蛍光灯１４の略中央の側方に位置すると共に、前記灯具本体１１の前後方向に対して直交し且つ図１の姿勢において水平に形成されている。更に前記セード７は、セード本体１７と、このセード本体１７の内側に設けられた反射体１８とで構成されている。前記セード本体１７は、その略中央に形成された軸受部１７ａにおいて前記回動軸１５によって軸支されていると共に、前記軸受部１７ａを中心として、一端１７ｂ側と他端１７ｃ側が略対称に形成されている。また、前記反射体１８も、前記セード本体１７と同様に、一端１８ａ側と他端１８ｂ側が略対称に形成されている。また、１９は前記回動軸１３の端部を覆うカバーであり、２０は前記回動軸１６の端部を覆うカバーである。
【００１６】
次に、本実施形態の作用について説明する。まず、本実施形態の電気スタンド１を机の天板Ｄ等に固定する場合について説明する。使用者はクリップ４を操作し、このクリップ４によって机の天板Ｄ等を挟持することで、電気スタンド１を机の天板Ｄに取り付ける。このとき、図１に示すように、腕部２が机の天板Ｄの上方となるようにする。なお、照明対象の位置及び照明の目的（例えば筆記、細かい作業等）によって、照明の方向及び照明対象までの距離を調節するために、腕部２を適宜曲げ、また第一関節部３、第二関節部５、セード取付部１２を適宜回動させてもよい。そして、図示しない電源プラグをコンセントに差し込み、同じく図示しないスイッチを閉じることで、前記灯具６に取り付けた電球型蛍光灯１４に電力を供給し、この電球型蛍光灯１４を発光させる。このとき、この電球型蛍光灯１４が発した光は、セード本体１７の内側の反射体１８によって反射されて、図１における下方に照射される。なお、このとき前記セード７は、その一端１７ｂ，１８ａが灯具６の先端側に位置している。更に、前述したとおり、前記灯具６に電球型蛍光灯１４を取り付けた状態において、この電球型蛍光灯１４の略中心の側方に前記回動軸１６が位置すると共に、この回動軸１６に対して前記セード７の略中央に形成された軸受部１７ａによってセード７が軸支されることで、このセード７の略中央に前記電球型蛍光灯１４が位置することになり、従って、この電球型蛍光灯１４からの光が適切に照射されることになる。
【００１７】
次に、本実施形態の電気スタンド１を机の天板Ｄ等から棚板Ｓ等に付け替え、灯具を前記クリップ４よりも下方に位置させて使用する場合について説明する。これは、この種のクリップ式の電気スタンド１が、クリップ４を操作することで机天板Ｄや棚板Ｓ等に対して容易に着脱できるためである。使用者はクリップ４を操作することで、電気スタンド１を机の天板Ｄから取り外し、電気スタンドの向きを変えた後、前記クリップ４によって机の棚板Ｓ等を挟持することで、前記電気スタンド１を机の棚板Ｓに取り付ける。このとき、図２に示すように、腕部２が机の棚板Ｓの下方となるようにする。更に、前記セード７を回動軸１６回りに回動させて、セード７の他端１７ｃ，１８ｂが灯具６の先端側となるようにする。なお、照明対象の位置及び照明の目的（例えば筆記、細かい作業等）によって、照明の方向及び照明対象までの距離を調節するために、腕部２を適宜曲げ、また第一関節部３、第二関節部５、セード取付部１２を適宜回動させてもよい。このとき、前記第二関節部５の軸受部１０と灯具本体１１の回動軸１３とは、前記灯具６の重量を支えるために比較的堅く締められているため、回動させにくく、また、前記灯具本体１１とセード取付部１２との係合部位は多少の遊びを持たせてあるため、灯具本体１１の軸方向に対してセード取付部１２が僅かに傾くことが起こり得るばかりでなく、灯具本体１１とセード取付部１２が樹脂で形成されていると共に摺動する距離が比較的長いため、セード取付部１２を回動させることで係合部位が磨耗して表面が粗くなり、また、磨耗によって樹脂の粉末が発生するため、セード取付部１２を何度も回しているうちに回しにくくなったり、がたついたりする。一方、前記セード７の軸受部１７ａと前記回動軸１６は、比較的軽量な前記セード７の重量を支えるだけでよいので、比較的緩く締めておくことができるため、前記軸受部１７ａと回動軸１６が磨耗しにくく、磨耗しても前記セード７の向きを容易に変えることができるばかりでなく、前記回動軸１６が同一軸線上に一対形成されており、これらの回動軸１６に軸支される軸受部１７ａも同一軸線上に位置するため、セード７が回動軸１６の軸方向に対して傾くことがなく、セード７ががたつかないようにすることができる。このため、セード７の向きを変える場合、セード取付部１２を回動させるよりもセード７を回動させる方が容易である。また、前述したように、セード７、即ちセード本体１７と反射体１８の一端１７ｂ，１８ａ側と他端１７ｃ，１８ｂ側が略対称であるため、セード７を回動させて向きを変えたとしても、前記電球型蛍光灯１４とセード７の位置関係及び形状が殆ど変わらないため、図１の状態から電気スタンド１の取付状態を変えて図２の状態にしたとしても、殆ど同じように照明することができる。そして、図示しない電源プラグをコンセントに差し込み、同じく図示しないスイッチを閉じることで、灯具６に取り付けた電球型蛍光灯１４に電力を供給し、この電球型蛍光灯１４を発光させる。このとき、この電球型蛍光灯１４が発した光は、セード７の内側の反射体１８によって反射されて、図２における下方に照射される。
【００１８】
次に、本実施形態の電気スタンド１を机の天板Ｄに取り付けた状態で机上を広く照明する場合について説明する。使用者は図１の状態から灯具６を回動軸１０回りに回動させることで灯具６を起こした後、セード７を前方に約７０度倒してセード７を略水平とすることで、図３に示す状態とする。そして、図示しない電源プラグをコンセントに差し込み、同じく図示しないスイッチを閉じることで、灯具６に取り付けた電球型蛍光灯１４に電力を供給し、この電球型蛍光灯１４を発光させる。このとき、この電球型蛍光灯１４が発した光は、セード７の内側の反射体１８によって反射されて図３における下方に照射されるばかりでなく、前記灯具６のセード取付部１２とセード７の間の広い範囲で前記電球形蛍光灯１４の前方、後方及び斜め側方が開放されるため、この電球型蛍光灯１４が発した光の一部は、この電球型蛍光灯１４（電気スタンド１）の前方、後方及び斜め側方から、上下方向の広い範囲に照射される。また、前記反射体１８によって反射された光は、この反射体１８の一端１８ａ側及び他端１８ｂ側、即ち電球型蛍光灯１４（電気スタンド１）の前後から下方に照射される。このとき、前述したように、セード７、即ちセード本体１７と反射体１８の一端１７ｂ，１８ａ側と他端１７ｃ，１８ｂ側が略対称であるため、前記反射体１８によって反射された光は、電球型蛍光灯１４（電気スタンド１）の前後に殆ど同じように照射されることになる。従って、前記電球型蛍光灯１４が発した光は、直接光及び間接光として、この電球型蛍光灯１４の前方、後方及び斜め側方から、上下方向の広い範囲に照射されることになり、学習、仕事又は作業に適した集中的な照明とは異なったインテリア的な照明をすることができる。
【００１９】
以上のように本発明は、腕部２と、この腕部２の基端に設けられた固定機構たるクリップ４と、前記腕部２の先端に設けられた灯具６と、この灯具６に対して回動自在に取り付けられたセード７と、前記灯具６のソケットに対して着脱自在な光源たる電球型蛍光灯１４で構成された電気スタンド１において、前記灯具６を構成するセード取付部１２に対して前記灯具６の前後方向に直交する回動軸１６を形成し、この回動軸１６と前記セード７の略中央の軸受部１７ａによってセード７を回動自在に軸支したことで、セード７自体を容易に回動させてセード７の向きを変えることができる。また、前記灯具６の前後方向に直交する回動軸１６回りに前記セード７の向きを調節可能とすることで、インテリア的な照明に用いる等、照明の自由度を高めることができる。
【００２０】
また、本発明は、前記セード７を構成するセード本体１７と反射体１８が、その略中央に形成された軸受部１７ａを中心として、一端１７ｂ，１８ａ側と他端１７ｃ，１８ｂ側が略対称となるように形成されていることで、セード７を回動させて向きを変えたとしても、前記電球型蛍光灯１４とセード７の位置関係及び形状が殆ど変わらず、殆ど同じように照明することができる。また、電気スタンド１の前後を同時に照明するインテリア的な照明をする場合においても、この電気スタンド１の前後を殆ど同じように照明することができる。
【００２１】
また、本発明は、前記灯具６を構成するセード取付部１２に、前記電球型蛍光灯１４の側面に沿うように一対の突出部１５を形成し、これらの突出部１５に対して前記電球型蛍光灯１４の略中央の側方に位置するように一対の回動軸１６を形成したことで、セード７の略中央に前記電球型蛍光灯１４が位置することになり、従って、この電球型蛍光灯１４からの光を適切に照射することができる。
【００２２】
更に、前記回動軸１６が一対設けられ、これら一対の回動軸１６と前記セード７の軸受部１７ａが係合することで前記セード７が軸支されることによって、セード７が回動軸１６の軸方向に対して傾くことがなく、セード７ががたつかないようにすることができる。
【００２３】
なお、本発明は以上の実施形態に限定されるものではなく、発明の要旨の範囲内で種々の変形が可能である。例えば、本実施形態においては、電気スタンドに複数の関節部を設け、またセード取付部を回動可能にしているが、これらの関節部を設けず、セード取付部を回動不能にし、セードのみを回動自在としてもよい。また、本実施形態では、セードをセード本体と反射体とで構成したが、これらを一つの部材によって構成してもよい。
【００２４】
【発明の効果】
本発明の請求項１の電気スタンドは、固定機構と、この固定機構に基端側が取り付けられた腕部と、この腕部の先端側に取り付けられた灯具と、この灯具に取り付けられた光源と、前記灯具に取り付けられて前記光源を覆うセードとを有する電気スタンドにおいて、前記灯具に対して前記セードの略中央部を回動自在に軸支する回動軸を前記灯具の前後方向に対して直交する方向に設けると共に、前記セードが前記灯具に対して回動軸回りに回動自在となるように構成されているものであり、固定機構を被固定部に固定し、灯具の向きを調節した後、セードを回動軸回りに回動することで、照射方向が調節されるので、固定機構による取付状態が大きく変わる場合であっても照射方向を容易に調節することができる。また、前記灯具の前後方向に直交する回動軸回りに前記セードの向きを調節可能とすることで、照明の自由度を高めることができる。
【００２５】
また、本発明の請求項２の電気スタンドは、請求項１において、前記セードが、前記回動軸を中心として前後略対称に形成されているものであり、セードを回動させて光源の一側又は他側を開放するいずれの状態にしたとしても、セードの姿勢及び形状が同様になるので、セードの一側又は他側のいずれが前方となっている状態でも、光源からの光を同様に照射することができる。また、電気スタンドの前後を同時に照明するインテリア的な照明をする場合においても、この電気スタンドの前後を殆ど同じように照明することができる。
【００２６】
また、本発明の請求項３の電気スタンドは、請求項１において、前記灯具に、前記光源の側部に延びる突出部を形成すると共に、前記光源の略中央の側部に該当する突出部の位置に、前記回動軸を設けたものであり、光源がセードの略中央に位置することになるので、光源からの光を適切に照射することができる。
【００２７】
更に、本発明の請求項４の電気スタンドは、請求項１において、前記回動軸を一対設けると共に、この一対の回動軸によって前記セードを軸支したものであり、セードが回動軸の軸方向に対して傾かないので、セードをスムーズに回動させて照射方向を調節することができる。
【図面の簡単な説明】
【図１】本発明の一実施例を示す電気スタンドの右側面図である。
【図２】同上、他の姿勢における右側面図である。
【図３】同上、更に他の姿勢における右側面図である。
【図４】同上、要部を拡大した右側面図である。
【図５】同上、セードの外観図である。
【符号の説明】
１　電気スタンド
２　腕部
４　クリップ（固定機構）
６　灯具
７　セード
１４　蛍光灯（光源）
１５　突出部
１６　回動軸
１７　セード本体
１７ａ　軸受部
１７ｂ　一端
１７ｃ　他端
１８　反射体
１８ａ　一端
１８ｂ　他端
【図１】
2004087204.tif 000003
【図２】
2004087204.tif 000004
【図３】
2004087204.tif 000005
【図４】
2004087204.tif 000006
【図５】
2004087204.tif 000007
【手続補正書】
【提出日】平成15年9月2日(2003.9.2)
【手続補正１】
【補正対象書類名】図面
【補正対象項目名】図３
【補正方法】変更
【補正の内容】
【図３】
2004087204.tif 000008